(57)【要約】【課題】メガネケースを使用する者が自分の好みの絵を描き、それがメガネケースの外側表面に現れている、世界に一個だけの、当該使用者だけの絵、デザインを外側表面に備えたメガネケースを提供する。【解決手段】、一枚の平板状の板状体から箱状に組み立てられ、また、前記箱状に組み立てられている状態から前記一枚の平板状の板状体に戻すことが可能なメガネケースであって、箱状に組み立てられた際に外側表面となる前記板状体の一面に、使用者が好みの絵を印刷しておき、メガネを収容する箱状のメガネケースの外側表面にメガネ使用者の好みの絵が現れ、メガネケースとして使用していないときには平板状の板状体になるメガネケース。【選択図】図３
2018015358.tif 000002
【特許請求の範囲】
【請求項１】
一枚の平板状の板状体から箱状に組み立てられ、また、前記箱状に組み立てられている状態から前記一枚の平板状の板状体に戻すことが可能なメガネケースであって、
前記一枚の平板状の板状体は、
左右方向に延びる長四角形状の前面板部と、
前記左右方向に延びる第一の折り曲げ部を介して前記前面板部に隣接して前記左右方向に延びる長四角形状の底板部と、
前記左右方向に延びる第二の折り曲げ部を介して前記底板部に隣接して前記左右方向に延びる長四角形状の背面板部と、
前記左右方向に延びる第三の折り曲げ部を介して前記背面板部に隣接して前記左右方向に延びる長四角形状の頂板部と、
前記左右方向に延びる第四の折り曲げ部を介して前記頂板部に隣接して前記左右方向に延びる長四角形状の蓋板部と、
前記前面板部の前記左右方向における一方の端において前記左右方向に直交する上下方向に延びる第五の折り曲げ部を介して前記前面板部に隣接する矩形状の第一側板部と、
前記前面板部の前記左右方向における他方の端において前記上下方向に延びる第六の折り曲げ部を介して前記前面板部に隣接する矩形状の第二側板部と、
前記背面板部の前記左右方向における前記一方の端において前記上下方向に延びる第七の折り曲げ部を介して前記背面板部に隣接する矩形状の第三側板部と、
前記背面板部の前記左右方向における前記他方の端において前記上下方向に延びる第八の折り曲げ部を介して前記背面板部に隣接する矩形状の第四側板部と
を備えており、
前記底板部の前記上下方向の長さと、前記頂板部の前記上下方向の長さとが同一で、
前記蓋板部の前記上下方向の長さが、前記背面板部の前記上下方向の長さ以下で、
前記前面板部の前記上下方向の長さは、前記蓋板部の前記上下方向の長さより小さく、
前記第一側板部及び、前記第二側板部の前記左右方向の長さは、前記底板部の上下方向の長さ以下で、
前記第三側板部及び、前記第四側板部の前記左右方向の長さは、前記底板部の上下方向の長さ以下で、
前記第一の折り曲げ部、前記第二の折り曲げ部、前記第三の折り曲げ部、前記第四の折り曲げ部、前記第五の折り曲げ部、前記第六の折り曲げ部、前記第七の折り曲げ部、前記第八の折り曲げ部を介して、前記底板部と、前記頂板部とが互いに対向し、前記背面板部と、前記前面板部及び前記蓋板部とが互いに対向するように折り曲げられると共に、前記第一側板部と前記第二側板部とが互いに対向し、前記第三側板部と前記第四側板部とが互いに対向するように折り曲げられて前記箱状に組み立てられた際に、
前記前面板部と前記蓋板部とが互いに係合し合う前板係脱手段及び蓋板係脱手段が前記前面板部及び前記蓋板部にそれぞれ配備されていると共に、
前記第一側板部と前記第三側板部とが互いに係合し合う第一側板係脱手段及び第三側板係脱手段が前記第一側板部及び前記第三側板部にそれぞれ配備され、
前記第二側板部と前記第四側板部とが互いに係合し合う第二側板係脱手段及び第四側板係脱手段が前記第二側板部及び前記第四側板部にそれぞれ配備されている
メガネケース。
【請求項２】
前記箱状に組み立てられた際に外側表面となる前記一枚の平板状の板状体の面に印刷が施されている請求項１のメガネケース。
【請求項３】
前記前板係脱手段は前記前面板部の前記左右方向における中央部に配備されている磁気掛留具の一方側であり、前記蓋板係脱手段は前記蓋板部の前記左右方向における中央部に配備されていて前記一方側と係脱自在な前記磁気掛留具の他方側である請求項１又は２記載のメガネケース。
【請求項４】
前記第一側板係脱手段及び前記第三側板係脱手段は、前記前記第一側板部及び前記第三側板部とにそれぞれ内蔵されていて互いに係脱自在な磁性体からなり、前記第二側板係脱手段及び前記第四側板係脱手段は、前記前記第二側板部及び前記第四側板部とにそれぞれ内蔵されていて互いに係脱自在な磁性体からなる請求項１〜３のいずれか一項に記載のメガネケース。
【発明の詳細な説明】
【技術分野】
【０００１】
この発明はメガネケースに関する。特に、一枚の平板状の板状体から箱状に組み立てられ、また、前記箱状に組み立てられている状態から前記一枚の平板状の板状体に戻すことが可能なメガネケースに関する。また、箱状に組み立てられた際に外側表面となる前記板状体の一面に、使用者が好みの絵を印刷しておき、メガネを収容する箱状のメガネケースの外側表面にメガネ使用者の好みの絵が現れ、メガネケースとして使用していないときには平板状の板状体になるメガネケースに関する。
【背景技術】
【０００２】
一枚の平板状の板状体から箱状に組み立てられる収容具に関しては従来から種々の提案が行われている（例えば、特許文献１）。
【０００３】
また、一枚の平板状の板状体から箱状の収容具に組み立てた際に外側表面となる前記板状体の一面に、使用者が好みの絵を印刷しておき、箱状の収容具の外側表面に使用者の好みの絵が現れる収容具についての提案も従来から行われている（例えば、特許文献２）。
【先行技術文献】
【特許文献】
【０００４】
【特許文献１】特開２０１５−１５１１４７号公報
【特許文献２】特開２００２−１４４４４９号公報
【発明の概要】
【発明が解決しようとする課題】
【０００５】
この発明は、一枚の平板状の板状体から箱状に組み立てられ、また、前記箱状に組み立てられている状態から前記一枚の平板状の板状体に戻すことが可能なメガネケースであって、箱状に組み立てられた際に外側表面となる前記板状体の一面に、使用者が好みの絵を印刷しておき、メガネを収容する箱状のメガネケースの外側表面にメガネ使用者の好みの絵が現れ、メガネケースとして使用していないときには平板状の板状体になるメガネケースを提案することを目的にしている。
【０００６】
そして、これによって、メガネケースを使用する者が自分の好みの絵を描き、それがメガネケースの外側表面に現れている、世界に一個だけの、当該使用者だけの絵、デザインを外側表面に備えたメガネケースを提供することを目的にしている。
【課題を解決するための手段】
【０００７】
［１］
一枚の平板状の板状体から箱状に組み立てられ、また、前記箱状に組み立てられている状態から前記一枚の平板状の板状体に戻すことが可能なメガネケースであって、
前記一枚の平板状の板状体は、
左右方向に延びる長四角形状の前面板部と、
前記左右方向に延びる第一の折り曲げ部を介して前記前面板部に隣接して前記左右方向に延びる長四角形状の底板部と、
前記左右方向に延びる第二の折り曲げ部を介して前記底板部に隣接して前記左右方向に延びる長四角形状の背面板部と、
前記左右方向に延びる第三の折り曲げ部を介して前記背面板部に隣接して前記左右方向に延びる長四角形状の頂板部と、
前記左右方向に延びる第四の折り曲げ部を介して前記頂板部に隣接して前記左右方向に延びる長四角形状の蓋板部と、
前記前面板部の前記左右方向における一方の端において前記左右方向に直交する上下方向に延びる第五の折り曲げ部を介して前記前面板部に隣接する矩形状の第一側板部と、
前記前面板部の前記左右方向における他方の端において前記上下方向に延びる第六の折り曲げ部を介して前記前面板部に隣接する矩形状の第二側板部と、
前記背面板部の前記左右方向における前記一方の端において前記上下方向に延びる第七の折り曲げ部を介して前記背面板部に隣接する矩形状の第三側板部と、
前記背面板部の前記左右方向における前記他方の端において前記上下方向に延びる第八の折り曲げ部を介して前記背面板部に隣接する矩形状の第四側板部と
を備えており、
前記底板部の前記上下方向の長さと、前記頂板部の前記上下方向の長さとが同一で、
前記蓋板部の前記上下方向の長さが、前記背面板部の前記上下方向の長さ以下で、
前記前面板部の前記上下方向の長さは、前記蓋板部の前記上下方向の長さより小さく、
前記第一側板部及び、前記第二側板部の前記左右方向の長さは、前記底板部の上下方向の長さ以下で、
前記第三側板部及び、前記第四側板部の前記左右方向の長さは、前記底板部の上下方向の長さ以下で、
前記第一の折り曲げ部、前記第二の折り曲げ部、前記第三の折り曲げ部、前記第四の折り曲げ部、前記第五の折り曲げ部、前記第六の折り曲げ部、前記第七の折り曲げ部、前記第八の折り曲げ部を介して、前記底板部と、前記頂板部とが互いに対向し、前記背面板部と、前記前面板部及び前記蓋板部とが互いに対向するように折り曲げられると共に、前記第一側板部と前記第二側板部とが互いに対向し、前記第三側板部と前記第四側板部とが互いに対向するように折り曲げられて前記箱状に組み立てられた際に、
前記前面板部と前記蓋板部とが互いに係合し合う前板係脱手段及び蓋板係脱手段が前記前面板部及び前記蓋板部にそれぞれ配備されていると共に、
前記第一側板部と前記第三側板部とが互いに係合し合う第一側板係脱手段及び第三側板係脱手段が前記第一側板部及び前記第三側板部にそれぞれ配備され、
前記第二側板部と前記第四側板部とが互いに係合し合う第二側板係脱手段及び第四側板係脱手段が前記第二側板部及び前記第四側板部にそれぞれ配備されている
メガネケース。
【０００８】
［２］
前記箱状に組み立てられた際に外側表面となる前記一枚の平板状の板状体の面に印刷が施されている［１］のメガネケース。
【０００９】
［３］
前記前板係脱手段は前記前面板部の前記左右方向における中央部に配備されている磁気掛留具の一方側であり、前記蓋板係脱手段は前記蓋板部の前記左右方向における中央部に配備されていて前記一方側と係脱自在な前記磁気掛留具の他方側である［１］又は［２］のメガネケース。
【００１０】
［４］
前記第一側板係脱手段及び前記第三側板係脱手段は、前記前記第一側板部及び前記第三側板部とにそれぞれ内蔵されていて互いに係脱自在な磁性体からなり、前記第二側板係脱手段及び前記第四側板係脱手段は、前記前記第二側板部及び前記第四側板部とにそれぞれ内蔵されていて互いに係脱自在な磁性体からなる［１］〜［３］のいずれかのメガネケース。
【発明の効果】
【００１１】
この発明によれば、一枚の平板状の板状体から箱状に組み立てられ、また、前記箱状に組み立てられている状態から前記一枚の平板状の板状体に戻すことが可能なメガネケースであって、箱状に組み立てられた際に外側表面となる前記板状体の一面に、使用者が好みの絵を印刷しておき、メガネを収容する箱状のメガネケースの外側表面にメガネ使用者の好みの絵が現れ、メガネケースとして使用していないときには平板状の板状体になるメガネケースを提供することができる。
【００１２】
そして、これによって、メガネケースを使用する者が自分の好みの絵を描き、それがメガネケースの外側表面に現れている、世界に一個だけの、当該使用者だけの絵、デザインを外側表面に備えたメガネケースを提供することができる。
【００１３】
また、メガネを収容している状態のメガネケースとして使用していないときには平板状の板状体になるので、そのまま鞄の中に収容したり、クリアファイルに入れて鞄の中に収容する、等、持ち運び、取り扱いに便利なものとなる。
【図面の簡単な説明】
【００１４】
【図１】この発明の一実施形態に係るメガネケースを構成する一枚の平板状の板状体の表面を表す平面図。
【図２】この発明の一実施形態に係るメガネケースを構成する一枚の平板状の板状体の背面を表す平面図。
【図３】この発明の一実施形態に係るメガネケースを箱状に組み立てている途中の状態を説明する斜視図。
【図４】この発明の一実施形態に係るメガネケースが箱状に組み立てられている状態を説明する斜視図。
【図５】この発明の一実施形態に係るメガネケースが箱状に組み立てられた際に外側表面になる一枚の平板状の板状体の表面に絵が印刷で現されている状態を説明する平面図。
【発明を実施するための形態】
【００１５】
以下、添付図面を参照してこの発明の一実施形態を説明する。
【００１６】
この実施形態のメガネケース１００は、図１、図２に図示されている一枚の平板状の板状体から図４図示のような箱状に組み立てられ、また、図４図示のように箱状に組み立てられている状態から図１、図２に図示されている一枚の平板状の板状体に戻すことが可能なメガネケースである。
【００１７】
この実施形態のメガネケース１００を構成する一枚の平板状の板状体は、図１、図２図示のように、左右方向に延びる長四角形状の前面板部１と、左右方向に延びる長四角形状の底板部２と、左右方向に延びる長四角形状の背面板部３と、左右方向に延びる長四角形状の頂板部４と、左右方向に延びる長四角形状の蓋板部５とを備えている。
【００１８】
底板部２は、左右方向に延びる第一の折り曲げ部１０を介して前面板部１に隣接している。背面板部３は、左右方向に延びる第二の折り曲げ部１１を介して底板部２に隣接している。頂板部４は、左右方向に延びる第三の折り曲げ部１２を介して背面板部３に隣接している。蓋板部５は、左右方向に延びる第四の折り曲げ部１３を介して頂板部４に隣接している。
【００１９】
また、この実施形態のメガネケース１００を構成する一枚の平板状の板状体は、図１、図２図示のように、矩形状の第一側板部６と、矩形状の第二側板部７と、矩形状の第三側板部８と、矩形状の第四側板部９とを備えている。
【００２０】
第一側板部６は、前面板部１の左右方向における一方の端（図１図示の実施形態では左端）において、左右方向に直交する上下方向に延びる第五の折り曲げ部１４を介して前面板部１に隣接している。
【００２１】
第二側板部７は、前面板部１の左右方向における他方の端（図１図示の実施形態では右端）において上下方向に延びる第六の折り曲げ部１５を介して前面板部１に隣接している。
【００２２】
第三側板部８は、背面板部３の左右方向における前記一方の端（（図１図示の実施形態では左端）において上下方向に延びる第七の折り曲げ部１６を介して背面板部３に隣接している。
【００２３】
第四側板部９は、背面板部３の左右方向における前記他方の端（図１図示の実施形態では右端）において上下方向に延びる第八の折り曲げ部１７を介して背面板部３に隣接している。
【００２４】
この実施形態における前面板部１、底板部２、背面板部３、頂板部４、蓋板部５は、第一の折り曲げ部１０、第二の折り曲げ部１１、第三の折り曲げ部１２、第四の折り曲げ部１３を介して、底板部２と、頂板部４とが互いに対向し、背面板部３と、前面板部１及び蓋板部５とが互いに対向するように折り曲げられて、図４図示のような箱状に組み立てられることから、それぞれの上下方向の長さの関係が次のようになっている。
【００２５】
底板部２の上下方向の長さと頂板部４の上下方向の長さとは同一で、蓋板部５の上下方向の長さは背面板部３の上下方向の長さ以下で、前面板部１の上下方向の長さは蓋板部５の上下方向の長さより小さい。
【００２６】
図示の実施形態では、蓋板部５の上下方向の長さは背面板部３の上下方向の長さ以下であって、ほぼ同じ長さになっている。また、前面板部１の上下方向の長さは蓋板部５の上下方向の長さのほぼ１／２になっている。
【００２７】
また、この実施形態における第一側板部６、第二側板部７、第三側板部８、第四側板部９の左右方向の長さと、底板部２の上下方向の長さとの関係は、第一の折り曲げ部１０、第二の折り曲げ部１１、第三の折り曲げ部１２、第四の折り曲げ部１３、第五の折り曲げ部１４、第六の折り曲げ部１５、第七の折り曲げ部１６、第八の折り曲げ部１７を介して、底板部２と、頂板部４とが互いに対向し、背面板部３と、前面板部１及び蓋板部５とが互いに対向するように折り曲げられると共に、第一側板部６と第二側板部７とが互いに対向し、第三側板部８と第四側板部９とが互いに対向するように折り曲げられて、図４図示のような箱状に組み立てられることから、次のようになっている。
【００２８】
第一側板部６及び、第二側板部７の左右方向の長さは、底板部２の上下方向の長さ以下で、第三側板部８及び、第四側板部９の左右方向の長さは、底板部２の上下方向の長さ以下になっている。
【００２９】
図示の実施形態では、第一側板部６、第二側板部７、第三側板部８、第四側板部９の左右方向の長さは、いずれも、底板部２の上下方向の長さ以下であって、底板部２の上下方向の長さとほぼ同じになっている。
【００３０】
この実施形態では、図１、図２に一枚の平板状の板状体として現されているメガネケース１００が上述したようにして、図４図示のような箱状に組み立てられた際に、前面板部１と蓋板部５とが互いに係合し合う前板係脱手段２０及び蓋板係脱手段２１が前面板部１及び蓋板部５にそれぞれ配備されている。また、第一側板部６と第三側板部８とが互いに係合し合う第一側板係脱手段及び第三側板係脱手段が第一側板部６及び第三側板部８にそれぞれ配備され、第二側板部７と第四側板部９とが互いに係合し合う第二側板係脱手段及び第四側板係脱手段が第二側板部７及び第四側板部９にそれぞれ配備されている。
【００３１】
図示の実施形態では、前板係脱手段は前面板部１の左右方向における中央部に配備されている磁気掛留具の一方側２０であり、蓋板係脱手段は蓋板部５の左右方向における中央部に配備されていて前記一方側２０と係脱自在な前記磁気掛留具の他方側２１になっている。
【００３２】
図示の実施形態では、前板係脱手段を構成する磁気掛留具の一方側２０は前面板部１の表面側１００ａに配備され、蓋板係脱手段を構成する磁気掛留具の他方側２１は蓋板部５の背面側１００ｂに配備されている。
【００３３】
この実施形態では、第一側板係脱手段及び前記第三側板係脱手段は、それぞれ、第一側板部６及び第三側板部８に内蔵されていて互いに係脱自在な磁性体から構成されていて、第二側板係脱手段及び第四側板係脱手段は、それぞれ、第二側板部７及び第四側板部９に内蔵されていて互いに係脱自在な磁性体から構成されている。
【００３４】
図示していないが、第一側板部６及び第三側板部８にそれぞれ内蔵されていて互いに係脱自在な磁性体及び、第二側板部７及び第四側板部９にそれぞれ内蔵されていて互いに係脱自在な磁性体は、例えば、薄板状の磁性体にすることができる。
【００３５】
図３は、図１、図２に一枚の平板状の板状体として現されているメガネケース１００が上述したようにして、図４図示のような箱状に組み立てられる途中の状態を説明するものである。
【００３６】
底板部２が第一の折り曲げ部１０を介して前面板部１に対して直角に折り曲げられ、背面板部３が第二の折り曲げ部１１を介して底板部２に対して直角に折り曲げられて、背面板部３と前面板部１とが互いに対向するようになり、第一側板部６と第二側板部７とがそれぞれ第五の折り曲げ部１４、第六の折り曲げ部１５を介して前面板部１に対して直角に折り曲げられて互いに対向するようになり、第三側板部８と第四側板部９とがそれぞれ第七の折り曲げ部１６、第八の折り曲げ部１７を介して背面板部３に対して直角に折り曲げられて、それぞれ、第一側板部６と第二側板部７を内側に挟んで、互いに対向するようになった状態である。
【００３７】
上述したように、第一側板部６、第三側板部８は、それぞれを互いに係合し合う磁性体からなる第一側板係脱手段、第三側板係脱手段を内蔵しているので、第一側板部６と第三側板部８とは磁力によって係合されている。
【００３８】
また、第二側板部７、第四側板部９は、それぞれを互いに係合し合う磁性体からなる第二側板係脱手段、第四側板係脱手段を内蔵しているので、第二側板部７と第四側板部９とは磁力によって係合されている。
【００３９】
この図３図示の状態で、前面板部１、底板部２、背面板部３、第一側板部６及び第三側板部８、第二側板部７及び第四側板部９によって囲まれて、これらの内側に図３図示のように形成されている空間部にメガネを収容する。
【００４０】
その後、頂板部４を第三の折り曲げ部１２を介して背面板部３に対して直角に折り曲げて、頂板部４と底板部２とが互いに対向するようにし、蓋板部５を第四の折り曲げ部１３を介して頂板部４に対して直角に折り曲げ、背面板部３に対向している前面板部１を内側にして、蓋板部５と背面板部３とが互いに対向するようにし、前板係脱手段を構成している前面板部１の左右方向における中央部に配備されている磁気掛留具の一方側２０に、蓋板係脱手段を構成している蓋板部５の左右方向における中央部に配備されていて前記一方側２０と係脱自在な磁気掛留具の他方側２１を互いの磁力によって係合し、不図示のメガネを内部に収容している状態のメガネケース１００（図４）とする。
【００４１】
この実施形態において、図１、図２に一枚の平板状の板状体として現されているメガネケース１００は、メガネを内部に収容して、図４図示の箱状の形状を維持できる剛性を有し、上述した前板係脱手段、蓋板係脱手段を配備でき、磁性体からなる第一側板係脱手段、第二側板係脱手段、第三側板係脱手段、第四側板係脱手段を内蔵できるものであれば種々の材質ものから製造することができる。例えば、合皮製にすることができる。
【００４２】
また、図４図示の箱状に組み立てられて内部にメガネが収容されることを考慮すると、内部に収容されたメガネに対面する側、すなわち、図２に符号１００ｂで示す背面側はフェルトなどの柔らかな布製などにすることができる。
【００４３】
一方、図４図示のように箱状に組み立てられた際に外側表面となる一枚の平板状の板状体の面（すなわち、図１に符号１００ａで示す表側の面）は印刷が施されている面にすることができる。
【００４４】
図５は表面１００ａに施されている印刷の一例を表すものである。図４図示の箱状に組み立てられた際に外側表面となる板状体の一面（表面１００ａ）に、メガネケース１００の使用者が好みの絵を印刷しておき、メガネを収容する箱状のメガネケース１００の外側表面にメガネ使用者の好みの絵が現れ、メガネケースとして使用していないときには図５図示のような平板状の板状体になって、装飾としても使用できる。
【００４５】
また、メガネケース１００を使用する人が、自分だけの、好みの絵を、自分で描いて、それを印刷によってメガネケース１００の外側表面に表れるようにすることによって、世界に一つしかない、自分だけのメガネケースを手にすることができる。
【００４６】
また、メガネを収容している状態のメガネケースとして使用していないときには、図１、図２図示のように、平板状の板状体になる。そこで、そのまま鞄の中に収容したり、クリアファイルに入れて鞄の中に収容する、等、持ち運び、取り扱いに便利なものとなる。
【００４７】
以上、添付図面を参照して本発明の好ましい実施形態を説明したが本発明はかかる実施形態に限定されるものではなく、特許請求の範囲の記載から把握される技術的範囲において種々に変更可能である。
【符号の説明】
【００４８】
１    前面板部
２    底板部
３    背面板部
４    頂板部
５    蓋板部
６    第一側板部
７    第二側板部
８    第三側板部
９    第四側板部
１０  第一の折り曲げ部
１１  第二の折り曲げ部
１２  第三の折り曲げ部
１３  第四の折り曲げ部
１４  第五の折り曲げ部
１５  第六の折り曲げ部
１６  第七の折り曲げ部
１７  第八の折り曲げ部
２０  前板係脱手段を構成する磁気掛留具の一方側
２１  蓋板係脱手段を構成する磁気掛留具の他方側
１００  メガネケース
１００ａ  一枚の平板状の板状体の表面側
１００ｂ  一枚の平板状の板状体の背面側
【図１】
2018015358.tif 000003
【図２】
2018015358.tif 000004
【図３】
2018015358.tif 000005
【図４】
2018015358.tif 000006
【図５】
2018015358.tif 000007